(57)【要約】【課題】本発明は、電子装置を提供することを目的とする。【解決手段】本発明の電子装置は、本体、取付モジュール及び支持モジュールを備え、取付モジュールは、本体に固定される固定ラックと、固定ラックにスライド可能に装着される係合部材と、固定ラックと係合部材との間に装着されて、係合部材をリセットする弾性部材と、を備え、支持モジュールは、スライド可能に固定ラックに収容される連結ラックを備え、固定ラックには、接続孔が設けられ、連結ラックには、接続孔を貫くホックが形成され、係合部材は、連結ラックのホックを当止する当止シートが形成されて、支持モジュールを取付モジュールに固定することができ、固定ラックに対して係合部材をスライドさせて、連結ラックのホックに対する当止シートの当止を解除して、弾性部材を弾性変形させ、連結ラックを固定ラックに対してスライドさせることにより、支持モジュールを取付モジュールから取り外す。【選択図】図１
2012186473.tif 000002
【特許請求の範囲】
【請求項１】
本体と、取付モジュールと、前記取付モジュールに着脱可能に装着される支持モジュールとを備え、
前記取付モジュールは、前記本体に固定される固定ラックと、第一方向に沿って前記固定ラックにスライド可能に装着される係合部材と、前記固定ラックと前記係合部材との間に装着されて、前記係合部材をリセットする弾性部材と、を備え、
前記支持モジュールは、前記第一方向に直交する第二方向に沿ってスライド可能に前記固定ラックに収容される連結ラックを備え、
前記固定ラックには、接続孔が設けられ、前記連結ラックには、前記接続孔を貫くホックが形成され、
前記係合部材は、前記連結ラックのホックを当止する当止シートが形成されて、前記支持モジュールを前記取付モジュールに固定し、
前記固定ラックに対して前記係合部材をスライドさせて、前記連結ラックのホックに対する前記当止シートの当止を解除して、前記弾性部材を弾性変形させて、前記連結ラックを前記固定ラックに対してスライドさせて、前記支持モジュールを前記取付モジュールから取り外すことを特徴とする電子装置。
【請求項２】
前記本体の背面には、前記固定ラックを収容する収容部が設けられ、前記固定ラックは開口が設けられた収容フレームを備え、前記収容フレームは下に向かって延在して取付板を形成し、前記接続孔は前記取付板に設けられ、前記連結ラックは、前記収容フレームの開口から前記収容フレームに収容される収容部を備え、前記連結ラックの収容部には固定板が下に向かって突出して形成され、前記ホックは、前記固定板の末端から屈曲して形成されることを特徴とする請求項１に記載の電子装置。
【請求項３】
前記収容フレームの前記取付板に対向する側壁には、２つの係合孔が設けられ、前記連結ラックの収容部の前記固定板に対向する側壁には、前記第二方向に沿って２つの前記係合孔に係合する係合部が突出して形成されることを特徴とする請求項２に記載の電子装置。
【請求項４】
前記取付板には、２つのねじ孔が設けられ、前記係合部材はスライドパネルを備え、前記当止シートは前記スライドパネルの片側から延在するように形成され、前記スライドパネルには、前記取付板の２つのねじ孔に対応する２つのガイド孔が設けられ、２つのねじは、前記係合部材の２つのガイド孔を貫いてから前記取付板の２つのねじ孔に螺合して、これにより前記係合部材は、前記固定ラックにスライド可能に装着されることを特徴とする請求項２又は３に記載の電子装置。
【請求項５】
前記固定ラックの取付板からさらにＬ字状の固定板が延在するように形成され、前記固定ラックの固定板における、前記取付板に接続する部分には、２つの突出部が形成され、２つの前記突出部と前記取付板との間には、前記係合部材をスライド可能に収容するスライドスロットが形成されることを特徴とする請求項２〜４のいずれか一項に記載の電子装置。
【請求項６】
前記固定ラックの取付板及び前記係合部材には、それぞれ１つのホックが形成され、前記弾性部材の両端は、２つの前記ホックに掛けられることを特徴とする請求項２〜５のいずれか一項に記載の電子装置。
【請求項７】
前記支持モジュールは、前記本体を支持する支持体をさらに備え、前記支持体は接続部を備え、前記接続部の両端には、それぞれ１つの枢着孔が設けられ、前記連結ラックの収容部の両端には、それぞれ１つの接続板が形成され、各々の前記接続板には、枢着孔が設けられ、２つのシャフトが前記接続部及び前記接続板の枢着孔に挿入されて、前記支持体を前記連結ラックに回転可能に枢着することを特徴とする請求項２〜６のいずれか一項に記載の電子装置。
【請求項８】
前記支持モジュールは、ねじによって前記連結ラックに固定されるカバーをさらに備え、前記カバーには、前記第一方向に沿ってスライドする操作部材が装着され、前記操作部材をスライドさせると、前記係合部材と連動して前記固定ラックに対してスライドすることを特徴とする請求項２〜７のいずれか一項に記載の電子装置。
【請求項９】
前記操作部材は、スライディングプレートを備え、前記スライディングプレートの対向する２つの側辺には、それぞれ１つのスライディングレールが突出して形成され、前記カバーの内表面には、２つのガイドスロットが形成され、前記操作部材の２つのスライディングレールは、前記カバーの２つのガイドスロットに沿ってスライドすることを特徴とする請求項８に記載の電子装置。
【請求項１０】
前記スライディングプレートの前記カバーに離反する片面には、２つの凸柱が形成され、前記固定ラックの取付板には、スロットが設けられ、前記係合部材には、２つの連結孔が設けられ、前記スライディングプレートの２つの凸柱は、前記固定ラックのスロットを貫いてから前記係合部材の２つの連結孔に係合して、前記スライディングプレートは、前記係合部材と連動して前記固定ラックのスロットに沿ってスライドすることを特徴とする請求項９に記載の電子装置。
【請求項１１】
前記カバーの内表面における２つの前記ガイドスロットの間には、ガイド孔が設けられ、前記操作部材には、前記ガイド孔を貫き且つ前記ガイド孔に沿ってスライドする操作部が形成されることを特徴とする請求項９又は１０に記載の電子装置。
【発明の詳細な説明】
【技術分野】
【０００１】
本発明は、電子装置に関するものである。
【背景技術】
【０００２】
オールインワンの設計思想を導入した一体型パソコン又は液晶表示装置のような電子装置のホルダーは、一般的にねじによって前記電子装置のハウジングに固定される。前記電子装置を壁に掛ける場合、道具によって前記ホルダーを前記ハウジングから取り外すことが必要とされるので、操作が不便である。
【発明の概要】
【発明が解決しようとする課題】
【０００３】
本発明の目的は、前記課題を解決し、便利に操作できる電子装置を提供することである。
【課題を解決するための手段】
【０００４】
本発明に係る電子装置は、本体と、取付モジュールと、前記取付モジュールに着脱可能に装着される支持モジュールとを備え、前記取付モジュールは、前記本体に固定される固定ラックと、第一方向に沿って前記固定ラックにスライド可能に装着される係合部材と、前記固定ラックと前記係合部材との間に装着されて、前記係合部材をリセットする弾性部材と、を備え、前記支持モジュールは、前記第一方向に直交する第二方向に沿ってスライド可能に前記固定ラックに収容される連結ラックを備え、前記固定ラックには、接続孔が設けられ、前記連結ラックには、前記接続孔を貫くホックが形成され、前記係合部材は、前記連結ラックのホックを当止する当止シートが形成されて、前記支持モジュールを前記取付モジュールに固定することができ、前記固定ラックに対して前記係合部材をスライドさせて、前記連結ラックのホックに対する前記当止シートの当止を解除して、前記弾性部材を弾性変形させて、前記連結ラックを前記固定ラックに対してスライドさせて、前記支持モジュールを前記取付モジュールから取り外す。
【発明の効果】
【０００５】
従来の技術に比べて、本発明の電子装置は、スライドできる係合部材の当止シートによって、固定ラックの接続孔を貫いた連結ラックのホックを当止して、支持モジュールを取付モジュールに固定する。前記支持モジュールを取り外す場合、操作部材を操作して、前記係合部材の当止シートを移動させて、前記連結ラックのホックに対する当止を解除し、これにより前記支持モジュールを迅速に取り外すことができ、道具を使用することがなく、操作が便利である。
【図面の簡単な説明】
【０００６】
【図１】本発明の実施形態に係る電子装置の立体分解図である。
【図２】図１に示す電子装置の取付モジュールの分解図である。
【図３】図１に示す電子装置の支持モジュールの分解図である。
【図４】図２に示す取付モジュールの組立図である。
【図５】図３に示す支持モジュールの組立図である。
【図６】本発明の実施形態に係る電子装置の取付過程を示す図である。
【図７】本発明の実施形態に係る電子装置の取付過程を示す図である。
【図８】本発明の実施形態に係る電子装置の取付過程を示す図である。
【図９】本発明の実施形態に係る電子装置の取付過程を示す図である。
【発明を実施するための形態】
【０００７】
以下、図面を参照して、本発明の実施形態について説明する。
【０００８】
図１及び図２を参照すると、本発明の実施形態に係る電子装置は、本体４０と、取付モジュール１０と、支持モジュール２０と、を備える。前記取付モジュール１０は、前記本体４０内に収容され、前記支持モジュール２０は、前記取付モジュール１０に装着されて、前記本体４０を支持する。前記本体４０の背面には、収容部４２が設けられ、前記収容部４２の底壁には、４つのねじ孔４２２が設けられる。本実施形態において、前記電子装置は、一体型パソコンである。
【０００９】
前記取付モジュール１０は、固定ラック１２、係合部材１４及び弾性部材１６を備える。
【００１０】
前記固定ラック１２は、１つの側面が開口された収容フレーム１２２を備える。前記収容フレーム１２２は、長方形の底板１２２２及び前記底板１２２２の４つの側辺から垂直に延在してなる４つの側板を備える。前記底板１２２２には、２つの固定孔１２２４が設けられる。前記収容フレーム１２２の下部の側板の側辺から外に向かって垂直に延在してなる取付板１２４には、２つの接続孔１２４２、１つのスロット１２４４、及び２つのねじ孔１２４６が設けられる。前記スロット１２４４は、２つの前記接続孔１２４２の下方に位置し、２つの前記ねじ孔１２４６は、前記スロット１２４４の両端に位置する。前記取付板１２４の右端には、ホック１２４８が突出して設置され、前記ホック１２４８と２つの前記ねじ孔１２４６とは、ほぼ同一直線に位置する。前記取付板１２４の末端には、前記収容フレーム１２２と同じ側に位置するＬ字状の固定板１２６が設置される。前記固定板１２６の、前記取付板１２４に直交する部分には、２つの突出部１２６２が形成され、２つの前記突出部１２６２と前記取付板１２４との間には、スライドスロット１２６４が形成される。前記固定板１２６の前記取付板１２４に平行する部分には、２つの固定孔１２６６が設けられる。前記収容フレーム１２２の頂部の側板には、２つの係合孔１２８が設けられる。
【００１１】
前記係合部材１４は、長方形のスライドパネル１４２を備え、前記スライドパネル１４２の片側には、前記固定ラック１２の２つの接続孔１２４２に対応する２つの当止シート１４４が突出して形成される。前記スライドパネル１４２には、前記固定ラック１２の２つのねじ孔１２４６に対応する２つのガイド孔１４６と、２つの前記ガイド孔１４６の間に位置する２つの連結孔１４８と、が設けられる。前記スライドパネル１４２の右端には、ホック１４９が突出して形成される。
【００１２】
本実施形態において、前記弾性部材１６は、その両端にグロメット１６４が形成されたスプリングである。
【００１３】
図３を参照すると、前記支持モジュール２０は、支持体２２と、連結ラック２４と、２つのシャフト２６と、操作部材２８と、カバー２９と、を備える。
【００１４】
前記支持体２２は、略Ｌ字状であり、その一端には接続部２２２が形成され、前記接続部２２２の両端には、それぞれ１つの枢着シート２２３が形成され、２つの前記枢着シート２２３には、それぞれ１つの枢着孔２２４が設けられる。
【００１５】
前記連結ラック２４は、前記支持体２２の接続部２２２を収容するための収容部２４２を備え、前記収容部２４２は、底壁及び前記底部の対向する２つの側辺から垂直に延在してなる２つの側壁を備える。前記収容部２４２の上部の側壁の側辺から外に向かって垂直に突出してなる第一固定板２４３には、２つの固定孔２４３０が設けられる。前記収容部２４２の上部の側壁の側辺から外に向かって垂直に突出してなる２つの係合部２４４は、前記第一固定板２４３の両側に位置する。前記収容部２４２の下部の側壁の側辺から外に向かって垂直に突出してなる第二固定板２４５には、２つの固定孔２４５０が設けられる。前記収容部２４２の下部の側壁の両端から収容部の内側に向かって延在してなる２つの接続板２４８には、それぞれ１つの枢着孔２４８０が設けられる。前記第二固定板２４５の側辺から前記収容部２４２が所在する片側に向かって２つのＬ字状のホック２４６が突出して形成される。
【００１６】
前記操作部材２８は、長方形のスライディングプレート２８２を備える。前記スライディングプレート２８２の対向する２つの側辺には、それぞれ１つのスライディングレール２８４が突出して形成される。前記スライディングプレート２８２の１つの側面の中部には、２つの凸柱２８５が設置され、２つの前記凸柱２８５の両側には、２つのガイド孔２８６が対称的に設けられる。前記スライディングプレート２８２の他の側面における２つの前記凸柱２８５の間には、操作部２８８が突出して形成される。
【００１７】
前記カバー２９は、前記電子装置の本体４０の収容部４２を覆うために用いられる。前記カバー２９には、貫通孔２９２が設けられる。前記カバー２９の内面における前記貫通孔２９２の両側には、それぞれ２つの凸柱２９４が突出して形成され、各々の前記凸柱２９４には、その軸方向に沿ってねじ孔が設けられる。前記カバー２９の内面の下部には、前記操作部材２８を収容するための開口２９６が設けられ、前記開口２９６の両側には、それぞれ１つのガイドスロット２９６２が形成される。前記開口２９６の中部には、長方形のガイド孔２９６４が設けられ、前記ガイド孔２９６４の一端の両側には、それぞれ１つの凸柱２９６６が突出して形成され、各々の前記凸柱２９６６には、その軸方向に沿ってねじ孔が設けられる。
【００１８】
図２及び図４を参照すると、前記取付モジュール１０を組み立てる場合、前記係合部材１４を前記固定ラック１２のスライドスロット１２６４に挿入してから、前記弾性部材１６の両端のグロメット１６４をそれぞれ前記固定ラック１２のホック１２４８及び前記係合部材１４のホック１４９に掛ける。２つのねじは、前記係合部材１４の２つのガイド孔１４６を貫いてから、前記固定ラック１２の２つのねじ孔１２４６に螺合して、前記係合部材１４を前記固定ラック１２にスライド可能に装着する。前記係合部材１４の２つの当止シート１４４は、前記固定ラック１２の２つの接続孔１２４２を遮る。前記係合部材１４の２つの連結孔１４８は、前記固定ラック１２のスロット１２４４に対応する。
【００１９】
図１を参照すると、前記取付モジュール１０が前記電子装置の本体４０の収容部４２に設置されてから、４つのねじが、前記固定ラック１２の収容フレーム１２２の２つの固定孔１２２４、及び前記固定板１２６の２つの固定孔１２６６を貫いてから、前記本体４０の４つのねじ孔４２２に螺合して、前記取付モジュール１０を前記電子装置に固定する。
【００２０】
図３及び図５を参照すると、前記支持モジュール２０を組み立てる場合、前記支持体２２の接続部２２２を前記連結ラック２４の収容部２４２に収容する。２つの前記シャフト２６は、前記支持体２２の２つの枢着シート２２３と前記連結ラック２４の２つの接続板２４８との間に設置されて、各々の前記シャフト２６の両端が対応する前記枢着シート２２３の枢着孔２２４及び前記接続板２４８の枢着孔２４８０を貫いてからナット２７と螺合して、前記支持体２２を前記連結ラック２４に枢着する。前記支持体２２の、前記接続部２２２から離れている一端を、前記カバー２９の貫通孔２９２に貫かせる。４つのねじが、前記連結ラック２４の第一固定板２４３の２つの固定孔２４３０、及び第二固定板２４５の２つの固定孔２４５０を貫いてから、前記カバー２９の４つの凸柱２９４のねじ孔に螺合して、前記連結ラック２４を前記カバー２９の内面に装着する。前記操作部材２８を前記カバー２９の開口２９６に収容して、２つの前記スライディングレール２８４を２つの前記ガイドスロット２９６２に収容して、２つのねじを、前記操作部材２８の２つのガイド孔２８６を貫かせてから、前記カバー２９の２つの凸柱２９６６のねじ孔に螺合させて、前記操作部材２８を前記カバー２９にスライド可能に装着する。この際、前記操作部材２８の操作部２８８は、前記カバー２９のガイド孔２９６４を貫いて前記カバー２９の外面に突出する。
【００２１】
図６〜図９を参照すると、前記支持モジュール２０を前記取付モジュール１０に組み付ける場合、前記連結ラック２４の２つの係合部２４４を前記固定ラック１２の２つの係合孔１２８に係合させてから、前記支持モジュール２０を推進して、前記連結ラック２４の収容部２４２を前記固定ラック１２の収容フレーム１２２にスライド可能に収容して、前記操作部材２８の２つの凸柱２８５を、前記固定ラック１２のスロット１２４４を貫いて、前記係合部材１４の２つの連結孔１４８に挿入する。前記操作部材２８の操作部２８８を左向きに動かすと、前記操作部材２８の２つの凸柱２８５は、前記係合部材１４と連動して前記固定ラック１２のスライドスロット１２６４に沿って左へスライドし、前記係合部材１４の２つの当止シート１４４は、前記取付板１２４の２つの接続孔１２４２から離れて、前記弾性部材１６は弾性変形する。続いて前記支持モジュール２０を推進すると、前記連結ラック２４の２つのホック２４６は、前記固定ラック１２の２つの接続孔１２４２を貫く。前記操作部２８８を解放すると、前記弾性部材１６は弾性回復して、前記係合部材１４は右へスライドして、２つの前記ホック２４６は、前記係合部材１４の２つの当止シート１４４に当止される。このようにして、前記支持モジュール２０を前記電子装置に装着する。
【００２２】
前記支持モジュール２０を前記電子装置から取り外して、前記電子装置を壁に掛ける場合、前記操作部材２８の操作部２８８を左向きに動かすと、前記操作部材２８の２つの凸柱２８５は、前記係合部材１４と連動して前記固定ラック１２のスライドスロット１２６４に沿って左へスライドし、前記係合部材１４の２つの当止シート１４４も左へ移動して、前記連結ラック２４の２つのホック２４６は、前記係合部材１４の２つの当止シート１４４に当止されなくなる。この際、前記支持モジュール２０を抜き出すと、前記連結ラック２４の２つのホック２４６は、前記固定ラック１２の２つの接続孔１２４２から退出し、前記連結ラック２４の２つの係合部２４４は、前記固定ラック１２の２つの係合孔１２８から退出して、これにより前記支持モジュール２０を取り外すことができる。この際、前記取付モジュール１０は、前記電子装置の収容部４２内に収容されて、前記電子装置を壁に掛けることに影響しない。本実施形態において、前記支持モジュール２０の２つの前記シャフト２６は、前記連結ラック２４の収容部２４２に収容されているので、占有空間が少なく、前記支持モジュール２０の着脱に影響しない。
【００２３】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、以下の特許請求の範囲から決まる。
【符号の説明】
【００２４】
１０  取付モジュール
１２  固定ラック
１４  係合部材
１６  弾性部材
２０  支持モジュール
２２  支持体
２４  連結ラック
２６  シャフト
２７  ナット
２８  操作部材
２９  カバー
４０  本体
４２，２４２  収容部
１２２  収容フレーム
１２４  取付板
１２６  固定板
１２８  係合孔
１４２  スライドパネル
１４４  当止シート
１４６，２８６，２９６４  ガイド孔
１４８  連結孔
１４９，２４６，１２４８  ホック
１６４  グロメット
２２２  接続部
２２３  枢着シート
２２４，２４８０  枢着孔
２４３  第一固定板
２４４  係合部
２４５  第二固定板
２４８  接続板
２８２  スライディングプレート
２８４  スライディングレール
２８５，２９４，２９６６  凸柱
２８８  操作部
２９２  貫通孔
２９６  開口
４２２，１２４６  ねじ孔
１２２２  底板
１２２４，１２６６，２４３０，２４５０  固定孔
１２４２  接続孔
１２４４  スロット
１２６２  突出部
１２６４  スライドスロット
【図１】
2012186473.tif 000003
【図２】
2012186473.tif 000004
【図３】
2012186473.tif 000005
【図４】
2012186473.tif 000006
【図５】
2012186473.tif 000007
【図６】
2012186473.tif 000008
【図７】
2012186473.tif 000009
【図８】
2012186473.tif 000010
【図９】
2012186473.tif 000011